(57)【要約】【課題】室内機を置くスペースが室内機の支持台部投影面積分しか確保されていない場合であっても、最終的な据付位置のまま室内熱交換器の冷媒配管延長部末端に室内機と室外機をつなぐ配管を接続する作業を行うことができる利便性の良い空気調和機を提供することを課題とする。【解決手段】圧縮機及び室外熱交換器を有する室外機と、前面カバー，室内熱交換器，室内熱交換器の冷媒配管延長部、及び本体下部に配置され本体と分離一体可能な支持台部を有する室内機と、を備えた空気調和機において、冷媒配管延長部は室内機本体の背面下部に配置されるとともに、支持台部は複数の部品により構成され、支持台部を構成する部品のうち少なくとも一部の部品を取り外し又は開状態で保持した状態でも、室内機の本体を支持する強度を有し、かつこの状態で冷媒配管延長部末端への配管接続作業が可能な空間が設けられる。【選択図】  図１
2011099617.tif 000002
【特許請求の範囲】
【請求項１】
圧縮機及び室外熱交換器を有する室外機と、前面カバー，室内熱交換器，前記室内熱交換器の冷媒配管延長部、及び本体下部に配置され前記本体と分離一体可能な支持台部を有する室内機と、を備えた空気調和機において、
前記冷媒配管延長部は前記室内機本体の背面下部に配置されるとともに、前記支持台部は複数の部品により構成され、
前記支持台部を構成する部品のうち少なくとも一部の部品を取り外し又は開状態で保持した状態でも、前記室内機の本体を支持する強度を有し、かつこの状態で前記冷媒配管延長部末端への配管接続作業が可能な空間が設けられることを特徴とする空気調和機。
【請求項２】
請求項１において、前記冷媒配管延長部末端への配管接続作業を行う際に、前記支持台部を構成する部品のうち少なくとも前記室内機の略正面側の部品を分離又は開閉するように構成したことを特徴とする空気調和機。
【請求項３】
請求項２において、前記支持台部を構成する少なくとも一部の部品を取り外し又は開状態で保持したときに、前記冷媒配管延長部末端への配管接続作業に加えてドレン排水管の接続作業が可能な空間が設けられることを特徴とする空気調和機。
【発明の詳細な説明】
【技術分野】
【０００１】
本発明は空気調和機に係り、特に室内の床面に設置する床置き形室内機に関する。
【背景技術】
【０００２】
従来の空気調和機は、快適性を保つために吹き出す空気を制御することを主な目的として、室内機下部に１００mm以上の高さを有する支持台部を設けているものがある（例えば、特許文献１（請求項１，段落番号〔００１２〕，図１）参照）。
【先行技術文献】
【特許文献】
【０００３】
【特許文献１】特開２００９−７４７０５号公報
【発明の概要】
【発明が解決しようとする課題】
【０００４】
従来の床置き形室内機では、室内機本体下部の支持台部はひとつの部品で構成されるとともに、室内機本体を支持し床面からの距離を確保するためにのみ用いられ、据付作業を行う際の利便性について特段の考慮はされていなかった。このため室内機背面に配置された室内熱交換器の冷媒配管延長部末端に室内機と室外機とをつなぐ配管を接続するためには、据付作業者が室内機の背面側に移動したり、室内機を一時的に回転移動させて背面側を露出させて作業を行う必要があった。このとき室内機を床面に置いて作業を行うことになるが、室内機の背面に据付作業者が移動し作業するスペースが無い場合や、室内機を置くスペースが室内機の支持台部投影面積分しか確保されていない場合には、室内機の背面側を露出させることが困難となり、効率的な作業を行うには障害となっていた。
【０００５】
本発明の目的は、室内機を置くスペースが室内機の支持台部投影面積分しか確保されていない場合であっても、最終的な据付位置のまま室内熱交換器の冷媒配管延長部末端に室内機と室外機をつなぐ配管を接続する作業を行うことができる利便性の良い空気調和機を提供することにある。
【課題を解決するための手段】
【０００６】
本発明が解決しようとする課題は、室内機本体下部と分離一体可能な支持台部を複数の部品で構成し、その一部を着脱又は開閉可能とし、かつ着脱又は開閉する部品以外の構成部品により室内機本体を支持する構造と強度を有することで達成される。
【０００７】
また、支持台部の構成部品のうち、着脱又は開閉可能とする部品は意匠上の障害とならないような構造とする。
【発明の効果】
【０００８】
室内の床面に設置する床置き形室内機の据付に際して、室内機を置くスペースが室内機の支持台部投影面積分しか確保できない場合だけではなく、十分なスペースを確保できる場合であっても、最終的な据付位置のまま冷媒配管およびドレン排水管の接続作業を行うことができるため、従来よりも据付作業の利便性を向上させることができる。据付スペースが制限される場合、たとえば壁面の一部に設けられ、室内機の動作保障に必要な最小限の幅，高さおよび奥行きの窪みに室内機を据え付けし、据え付け後の室内機の前面と壁面が同一面となる場合には、本発明により、据え付け作業時に特に利便性の高い空気調和機を提供することができる。
【図面の簡単な説明】
【０００９】
【図１】室内機の支持台部の一部を取り外した状態の正面斜視図。
【図２】室内機の構成を示す側断面図。
【発明を実施するための形態】
【００１０】
以下、本発明の実施例を図１，図２を用いて説明する。図１は空気調和機の室内機の支持台部の一部を取り外した状態の正面斜視図、図２は空気調和機の室内機の構成を示す側断面図である。
【００１１】
本実施例では、前面に取り外し可能な前面カバー５、背面にキャビネット１、内部には室内送風機２，室内熱交換器３が配され、キャビネット１の上面に空気吸込口６、前面カバー５の下部に空気吐出口７が設けられる。また、キャビネット１の下部には室内熱交換器の冷媒配管延長部３ａ，３ｂおよびキャビネット１と分離一体可能な支持台部４が設けられる。図１に示すように、支持台部４は支持台の固定部４ａと支持台の取り外し部４ｂに分離できる構造になっている。
【００１２】
室内熱交換器の冷媒配管延長部３ａ，３ｂへ配管接続作業を行う際は、支持台の取り外し部４ｂを支持台の固定部４ａと分離させる。これにより、従来室内機の背面側での作業のみであった配管接続作業やドレン配水管の接続作業が、室内機の前面側からも行うことができる。従って、室内機の背面側に十分な作業スペースがない場合や、室内機の位置を一時的に回転移動させて室内機の背面側を露出させて配管接続作業するのが困難な場合において、据え付け作業の利便性の向上が図れる。
【００１３】
また、支持台部４の前面全てを支持台の取り外し部４ｂとすることにより、意匠上においても障害とならないようにできる。
【００１４】
このように、本実施例においては、圧縮機及び室外熱交換器を有する室外機と、前面カバー，室内熱交換器，室内熱交換器の冷媒配管延長部、及び本体下部に配置され本体と分離一体可能な支持台部を有する室内機と、を備えた空気調和機において、冷媒配管延長部は室内機本体の背面下部に配置されるとともに、支持台部は複数の部品により構成され、支持台部を構成する部品のうち少なくとも一部の部品を取り外し又は開状態で保持した状態でも、室内機の本体を支持する強度を有し、かつこの状態で冷媒配管延長部末端への配管接続作業が可能な空間が設けられる。
【００１５】
また、冷媒配管延長部末端への配管接続作業を行う際に、支持台部を構成する部品のうち少なくとも室内機の略正面側の部品を分離又は開閉するように構成する。
【００１６】
さらに、支持台部を構成する少なくとも一部の部品を取り外し又は開状態で保持したときに、冷媒配管延長部末端への配管接続作業に加えてドレン排水管の接続作業が可能な空間が設けられる。
【符号の説明】
【００１７】
１  キャビネット
２  室内送風機
３  室内熱交換器
３ａ，３ｂ  室内熱交換器の冷媒配管延長部
４  支持台部
４ａ  支持台の固定部
４ｂ  支持台の取り外し部
５  前面カバー
６  空気吸込口
７  空気吐出口
【図１】
2011099617.tif 000003
【図２】
2011099617.tif 000004